【手続補正書】
【提出日】平成31年3月19日(2019.3.19)
【手続補正１】
【補正対象書類名】特許請求の範囲
【補正対象項目名】全文
【補正方法】変更
【補正の内容】
【特許請求の範囲】
【請求項１】
サーモグラフィー基材（２）を備えたドキュメント（１）、特にセキュリティドキュメントを製造する方法であって、
ａ）少なくとも１つの第１の領域（１０ａ〜１０ｖ）における温度効果に応じて、色変化（１５）が生じる前記サーモグラフィー基材（２）を提供するステップと、
ｂ）前記サーモグラフィー基材（２）の前記少なくとも１つの第１の領域（１０ａ〜１０ｖ）とサーマルプリントヘッド（６）との間に配置されるように、フィルムエレメント（５）を配置するステップと、
ｃ）前記サーマルプリントヘッド（６）を用いて、前記色変化（１５）を生じさせることにより、前記サーモグラフィー基材（２）の前記少なくとも１つの第１の領域（１０ａ〜１０ｖ）に少なくとも１つの第１の情報項目（２０ａ〜２０ｆ）を導入するステップと、
を含み、
前記色変化（１５）を生じさせる前記温度効果が前記サーマルプリントヘッド（６）から前記フィルムエレメント（５）を介して前記サーモグラフィー基材（２）の前記少なくとも１つの第１の領域（１０ａ〜１０ｖ）へと伝わるように、前記サーマルプリントヘッド（６）は、前記少なくとも１つの第１の情報項目（２０ａ〜２０ｆ）の導入中、前記フィルムエレメント（５）と接触している、ことを特徴とする方法。
【請求項２】
ステップｃ）において、前記フィルムエレメント（５）の一つ又は複数の第１の層は、前記少なくとも１つの第１の領域（１０ａ〜１０ｖ）において、前記サーマルプリントヘッド（６）により、前記ドキュメント（１）、特にセキュリティドキュメントに適用され、特に、
ステップｃ）において、前記少なくとも１つの第１の領域（１０ａ〜１０ｖ）における前記サーモグラフィー基材（２）の色変化（１５）により、第１の色が生成され、
ステップｃ）において、前記少なくとも１つの第１の領域（１０ａ〜１０ｖ）において前記ドキュメント（１）、特にセキュリティドキュメントに適用された前記フィルムエレメント（５）の前記一つ又は複数の第１の層は、少なくとも所定の領域において第２の色で形成され、
前記第１の色及び前記第２の色は、異なる色、特にＲＧＢ色空間の異なる色である、ことを特徴とする請求項１に記載の方法。
【請求項３】
ステップｂ）において配置された前記フィルムエレメント（５）は、複写ワニス層（５０）と、剥離層（４７）と、透明保護ワニス層（４４）と、含み、
レリーフ構造は、少なくとも所定の領域において前記複写ワニス層（５０）に成形され、
前記剥離層（４７）は、前記複写ワニス層（５０）と前記透明保護層（４４）との間に配置され、
前記複写ワニス層（５０）は、前記サーマルプリントヘッド（６）に面しており、
ステップｃ）において、前記複写ワニス層（５０）のレリーフ構造に対して反転されたレリーフ構造が、前記透明保護ワニス層（４４）に成形されるように、前記透明保護ワニス層（４４）は、前記サーマルプリントヘッド（６）により、前記ドキュメント（１）、特にセキュリティドキュメントに適用される、ことを特徴とする請求項２に記載の方法。
【請求項４】
少なくとも１つの第２の領域（１１ａ，１１ｂ，１１ｑ，１１ｒ，１１ｓ，１１ｔ，１１ｕ）において、前記少なくとも１つの第１の情報項目（２０ａ〜２０ｆ）が前記サーモグラフィー基材（２）に導入されず、前記フィルムエレメント（５）の前記一つ又は複数の第１の層が、少なくとも１つの第２の情報項目（２１ａ，２１ｂ）を表すため、前記サーマルプリントヘッド（６）により前記ドキュメント（１）、特にセキュリティドキュメントに適用されるように、少なくとも１つの第２の領域（１１ａ，１１ｂ，１１ｑ，１１ｒ，１１ｓ，１１ｔ，１１ｕ）において、前記色変化（１５）を生じさせる温度効果が選択され、特に、
前記少なくとも１つの第１の領域（１０ａ〜１０ｖ）及び少なくとも１つの第２の領域（１１ａ，１１ｂ，１１ｑ，１１ｒ，１１ｓ，１１ｔ，１１ｕ）は、前記サーマルプリントヘッド（６）の最大記録範囲（１２）に位置し、
前記最大記録範囲（１２）は前記サーマルプリントヘッド（６）の最大面積に対応し、当該最大面積で、前記サーマルプリントヘッド（６）は、ステップｃ）における第１の情報項目の導入中に前記フィルムエレメントと接触する、ことを特徴とする請求項２又は３に記載の方法。
【請求項５】
ステップａ）において供給された前記サーモグラフィー基材（２）は、少なくとも所定の領域において透明である一つ又は複数の第２の層（６０）を少なくとも所定の領域に有し、
前記サーモグラフィー基材の上面に亘る平面に対して垂直に見たときに、前記一つ又は複数の第２の層（６０）は、前記フィルムエレメント（５）と前記サーモグラフィー基材（２）との間に配置されており、
ステップｃ）において、前記色変化（１５）を生じさせる温度効果は、前記一つ又は複数の第２の層（６０）を介して、前記サーモグラフィー基材（２）の前記少なくとも１つの第１の領域（１０ａ〜１０ｖ）に伝達される、ことを特徴とする請求項１〜４のいずれかに記載の方法。
【請求項６】
ステップｃ）において、前記温度効果は、好ましくは５０℃を超える温度、より好ましくは５５℃を超える温度、さらに好ましくは６０℃を超える温度、さらにより好ましくは９０℃を超える温度であり、かつ／又は、
ステップｃ）において、前記サーマルプリントヘッド（６）は、少なくとも所定の領域において、７０℃を超える温度、好ましくは７５℃を超える温度、さらに好ましくは８０℃を超える温度、さらにより好ましくは１００℃を超える温度を有し、かつ／又は、
熱転写プリンタにより実行される、ことを特徴とする請求項１〜５のいずれかに記載の方法。
【請求項７】
ｄ）前記ドキュメント、特に、前記セキュリティドキュメントに少なくとも１つのシール層を適用するステップをさらに含み、
前記ステップは、特にステップｃ）の後に実行され、特に、
ステップｄ）において、前記少なくとも１つのシール層は、ラミネート加工、特に、コールドラミネート加工により適用される、ことを特徴とする請求項１〜６のいずれかに記載の方法。
【請求項８】
請求項１〜７のいずれかに記載の方法により製造された、サーモグラフィー基材（２）を備えたドキュメント（１）、特にセキュリティドキュメントであって、
温度効果に応じて、サーマルプリントヘッド（６）により、色変化（１５）が生じる前記サーモグラフィー基材（２）において、少なくとも１つの第１の情報項目（２０ａ〜２０ｆ）が少なくとも１つの第１の領域（１０ａ〜１０ｖ）に導入され、
前記少なくとも第１の情報項目（２０ａ〜２０ｆ）は、前記サーモグラフィー基材（２）の前記少なくとも１つの第１の領域（１０ａ〜１０ｖ）において、前記色変化（１５）が生じることにより形成される、ことを特徴とするドキュメント。
【請求項９】
前記ドキュメント（１）は、前記少なくとも１つの第１の領域（１０ａ〜１０ｖ）において、一つ又は複数の第１の層を有し、
前記一つ又は複数の第１の層は、前記サーモグラフィー基材（２）の前記少なくとも１つの第１の領域（１０ａ〜１０ｖ）において、前記少なくとも１つの第１の情報項目（２０ａ〜２０ｆ）に正確にフィットするように配置されている、ことを特徴とする請求項８に記載のドキュメント。
【請求項１０】
少なくとも１つの第２の領域（１１ａ，１１ｂ，１１ｑ，１１ｒ，１１ｓ，１１ｔ，１１ｕ）における前記ドキュメント（１）は、少なくとも１つの第２の情報項目（２１ａ，２１ｂ）を表すために、一つ又は複数の第１の層を有し、
前記サーモグラフィー基材（２）は、少なくとも１つの第２の領域（１１ａ，１１ｂ，１１ｑ，１１ｒ，１１ｓ，１１ｔ，１１ｕ）において、前記少なくとも１つの第１の情報項目（２０ａ〜２０ｆ）を有していない、ことを特徴とする請求項８又は９に記載のドキュメント。
【請求項１１】
前記一つ又は複数の第１の層は接着層（４５）を含み、かつ／又は、
前記一つ又は複数の第１の層の少なくとも１つの層（４６）は、着色顔料及び／又は溶解染料を有し、かつ／又は、
前記一つ又は複数の第１の層は、透明保護ワニス層（４４）を含み、かつ／又は、
前記一つ又は複数の第１の層は、複写ワニス層（５０）を含む、ことを特徴とする請求項９又は１０に記載のドキュメント。
【請求項１２】
前記一つ又は複数の第１の層は、反射層、特に金属層（４８）、及び／又はＨＲＩ層（５１）又はＬＲＩ層を含み、かつ／又は、
前記一つ又は複数の第１の層の少なくとも１つの層（４９）は、電磁放射線の照射の場合、好ましくは、ＵＶ光の照射の場合、さらに好ましくはＩＲ光の照射の場合、人間の目に見える波長範囲、特に３８０ｎｍ〜７８０ｎｍの波長範囲で光を発する顔料を有し、み、かつ／又は、
前記一つ又は複数の第１の層の少なくとも１つの層（５２）は、光学的に可変の顔料を有し、及び／又は、
前記一つ又は複数の第１の層における少なくとも１つの層は、一つ又は複数の空間層を含む薄膜層系を有し、前記空間層の層厚は、前記薄膜層系が、入射光の干渉により、特に人間の目に見える波長範囲の範囲を超えて、観察角に応じて色変化効果を生じさせるように選択される、ことを特徴とする請求項９〜１１のいずれかに記載のドキュメント。
【請求項１３】
前記反射層、及び／又は前記顔料を有する前記層（４９）、及び／又は前記光学的に可変の顔料を有する層（５２）、及び／又は前記薄膜層系を有する前記層は、
前記少なくとも１つの第１の領域（１０ａ〜１０ｖ）及び／又は少なくとも１つの第２の領域（１１ａ，１１ｂ，１１ｑ，１１ｒ，１１ｓ，１１ｔ，１１ｕ）の少なくとも１つの第４の部分的領域（１６）に存在し、
前記少なくとも１つの第１の領域（１０ａ〜１０ｖ）及び／又は少なくとも１つの第２の領域（１１ａ，１１ｂ，１１ｑ，１１ｒ，１１ｓ，１１ｔ，１１ｕ）の少なくとも１つの第５の部分的領域（１７）に存在していない、ことを特徴とする請求項１２に記載のドキュメント。
【請求項１４】
前記ドキュメント（１）、特にセキュリティドキュメントは、少なくとも所定の領域に、少なくとも所定の領域において透明である一つ又は複数の第２の層（６０）を有し、
前記一つ又は複数の第２の層（６０）は、少なくとも所定の領域において、前記サーモグラフィー基材（２）の前記少なくとも１つの第１の領域（１０ａ〜１０ｖ）に導入された前記少なくとも第１情報項目（２０ａ〜２０ｆ）を覆い、
前記一つ又は複数の第２の層（６０）は、前記サーモグラフィー基材（２）の上面に亘る平面に対して垂直に見たときに、前記サーモグラフィー基材（２）と前記一つ又は複数の第１の層との間に配置されている、ことを特徴とする請求項９〜１３のいずれかに記載のドキュメント。
【請求項１５】
前記ドキュメント、特に、セキュリティドキュメントは、少なくとも１つのシール層を含み、特に、
前記少なくとも１つのシール層は、保護フィルムであり、特に前記ドキュメント、特に、セキュリティドキュメントは、前記少なくとも１つの保護フィルムとともにラミネート加工されている、ことを特徴とする請求項８〜１４のいずれかに記載のドキュメント。
【手続補正２】
【補正対象書類名】明細書
【補正対象項目名】０００６
【補正方法】変更
【補正の内容】
【０００６】
この目的は、サーモグラフィー基材を有するドキュメント、特にセキュリティドキュメントを製造する方法により達成される。この方法は、ａ）少なくとも１つの第１の領域における温度効果に応じて、色変化が生じるサーモグラフィー基材を提供するステップと、ｂ）サーモグラフィー基材の少なくとも１つの第１の領域とサーマルプリントヘッドとの間に配置されるように、フィルムエレメントを配置するステップと、ｃ）サーマルプリントヘッドを用いて、色変化を生じさせることにより、サーモグラフィー基材の少なくとも１つの第１の領域において、少なくとも１つの第１の情報項目を導入するステップと、を含む。色変化を生じさせる温度効果がサーマルプリントヘッドからフィルムエレメントを介してサーモグラフィー基材の少なくとも１つの第１の領域へと伝わるように、サーマルプリントヘッドは、少なくとも１つの第１の情報項目の導入中にフィルムエレメントと接触している。本発明の目的は、請求項１〜７のいずれかに記載された方法により製造された、サーモグラフィー基材を有するドキュメント、特にセキュリティドキュメントにより達成される。温度効果に応じて、サーマルプリントヘッドにより、色変化が生じるサーモグラフィー基材は、少なくとも１つの第１の領域において、少なくとも１つの第１の情報項目を有する。少なくとも第１の情報項目は、サーモグラフィー基材の少なくとも１つの第１の領域において、色変化が生じることにより形成される。
【手続補正３】
【補正対象書類名】明細書
【補正対象項目名】０１０７
【補正方法】変更
【補正の内容】
【０１０７】
ステップｄ）において、少なくとも１つの保護ワニス層は、好ましくは、印刷、鋳造又はスプレーにより、ドキュメント、特に、セキュリティドキュメントに適用される。少なくとも１つの保護ワニス層の層厚は、好ましくは、０．１μｍ〜１００μｍであり、さらに好ましくは１μｍ〜５０μｍである。
【手続補正４】
【補正対象書類名】明細書
【補正対象項目名】０１３７
【補正方法】変更
【補正の内容】
【０１３７】
図２ｂは、ドキュメント１の概略的な上面図及び断面図を示している。したがって、図２ｂは、サーモグラフィー基板２を有するドキュメント１を示している。ドキュメント１は、領域１０ｊ，１０ｋ、１０ｌの各々において、情報項目を有している。さらに、情報項目を表すために、サーモグラフィー基板２における領域１０ｊ，１０ｋ，１０ｌにおいて色変化１５が生じる。さらに、領域１０ｊ、１０ｋ、１０ｌにおける色変化１５に正確にフィットするように、転写プライ４０ａがドキュメント１に適用される。領域１０ｊ，１０ｋ，１０ｌにおける転写プライ４０ａは、透明に形成される。さらに、領域１０ｊ，１０ｋ，１０ｌにおける転写プライ４０ａは、不透明、透過性、半透明に形成されてもよい。したがって、例えば、転写プライ４０ａを、領域１０ｋにおいて不透明でかつ赤色に形成してもよい。
【手続補正５】
【補正対象書類名】明細書
【補正対象項目名】０１３８
【補正方法】変更
【補正の内容】
【０１３８】
図３ａは、サーモグラフィー基板２を有するドキュメント１を製造するための方法のステップを概略的に示している。図３ａに示す方法のステップは、図２ａの方法のステップに対応しているが、色変化１５が領域１１ａにおいて生じておらず、フィルムエレメント５の転写プライ４０が情報項目２１ａを表すためサーマルプリントヘッド６によりドキュメント１に適用されるように、領域１１ａにおいて、色変化１５を生じさせる温度効果が選択される点において相違している。図３ａに示すように、サーモグラフィー基板２において色変化が生じ、かつ転写プライ４０ａがドキュメント１に適用されている領域は、情報項目２０ａを形成している。さらに、転写プライ４０ａだけがドキュメント１に適用されている領域は、情報項目２１ａを形成している。したがって、例えば、関連性の低い情報項目２１ａ等の情報項目は、転写プライ４０ａだけにより適用され、例えば、有効期限等の関連性の高い情報項目２０ａ等の情報項目は、転写プライ４０により適用され、色変化１５によりサーモグラフィー基板２に導入される。
【手続補正６】
【補正対象書類名】明細書
【補正対象項目名】０１７５
【補正方法】変更
【補正の内容】
【０１７５】
図８ｋは、耐熱層４２、キャリア層４１、透明保護ワニス層４４、複写ワニス層５０及びＨＲＩ層５１を有するフィルムエレメント５を示している。層４１，４２，４４，４５については、前述した事項を参照されたい。複写ワニス層５０は、好ましくは、０．２ｇ／ｍ２〜１．５ｇ／ｍ２の適用重量を有する。図８ｋにおける複写ワニス層５０は、ＰＭＭＡ及びスチレン共重合体の層であり、ＨＲＩ層に面する側においてレリーフ構造が刻印されている。レリーフ構造は、好ましくは、回折レリーフ構造であり、特に、キネグラム（登録商標）又はホログラム、０次回折構造、ブレーズ格子、特に非対称ののこぎり歯状のレリーフ構造、回折構造、特に線形正弦回折格子、又は交差正弦回折格子、又は、線形単一段又は多段矩形格子、又は、交差単一段又は多段矩形格子、光回折及び／又は光屈折及び／又は光集束マイクロ又はナノ構造、バイナリー又は連続的なフレネルレンズ、バイナリー又は連続的なフレネル自由曲面、回折又は屈折マクロ構造、特にレンズ構造又はマイクロプリズム構造、鏡面、マット構造、特に異方性又は等方性マット構造、あるいは上記構造の組み合わせからなる群から選択される。複写ワニス層５０のさらなるデザインについては、複写ワニス層６０ｂについての前述の事項を参照されたい。図８ｋにおけるＨＲＩ層５１は、例えば、ＺｎＳの蒸着層からなり、２０ｎｍ〜１２０ｎｍの厚さを有する。ＨＲＩ層５１のさらなるデザインについては、反射層６０ｃの内容についての前述の事項を参照されたい。図８ｋにおけるフィルムエレメント５は、層４４，５０，５１，４５が転写プライ４０としてドキュメントに転写されるフィルムエレメントである。
【手続補正７】
【補正対象書類名】明細書
【補正対象項目名】０１８５
【補正方法】変更
【補正の内容】
【０１８５】
図１２は、サーモグラフィー基板２を備えたドキュメント１を示している。領域１０ｕ，１１ｕにおいて、ドキュメント１は、層４４，５０，４８，４５を含む転写プライ４０ａを有する。層４４，５０，４８，４５のデザインについては、前述の事項を参照されたい。色変化１５は、サーモグラフィー基板２における領域１０ｕに生じ、観察者７０には黒色に映る。層４８は領域１９にのみ存在する。領域１９は、３５０μｍのグリッド幅を有するグリッド状に配置されており、その結果、観察者７０は、領域１０ｕに生じた色変化１５を認識し得る。色変化１５は、サーモグラフィー基板２における領域１１ｕには生じていない。サーモグラフィー基板２の層３０，３１，３２，３３については、前述した事項を参照されたい。層３５は、電磁放射線の照射の場合、好ましくはＵＶ光の照射の場合、及び／又はＩＲ光の照射の場合、人間の目に見える波長範囲、特に３８０ｎｍ〜７８０ｎｍの波長範囲で光を発する顔料を有する。層３５は、所定の領域において適用され、特に、パターン化されてもよい。